(57)【要約】      （修正有）【課題】生産コストを節減するとともに、組み立て、分解が容易で、かつ部材の接合の密接度が高い電子カードを提供する。【解決手段】矩形の上部ハウジングと、下部ハウジングと、固定フレームと、端子座とによって構成し、内部には、デジタルデータまたはネットワーク伝送インタフェースを保存する回路ボードなどを収納する収納空間を形成し、デジタルデータまたはネットワーク伝送インタフェースを保存する回路ボードなどを収納する収納空間を形成し、上部ハウジングと下部ハウジングは上下対称に形成されて、固定フレームを組み付けて構成する。また、上部ハウジングと下部ハウジングの長手方向の両端縁部には、それぞれ長い側辺係合部を形成し、固定フレームの側辺係合部に対応する位置には、それぞれ長い係合溝を形成して側辺係合部を係止させ、上部ハウジングと下部ハウジングの折り返し部に隣り合う外側の端縁部には傾斜端縁部を形成し、固定フレームと、上部ハウジング、下部ハウジングとを連結した後、傾斜端縁部に対応する位置に上下の押し圧面を形成する。【選択図】図４
0003105858.tif 000002
【実用新案登録請求の範囲】
【請求項１】
矩形の上部ハウジングと、下部ハウジングと、固定フレームと、端子座とによってなる電子カードであって、
該電子カードの内部には、デジタルデータ、もしくはネットワーク伝送インタフェースを保存する回路ボードなどを収納する収納空間を形成し、
該上部ハウジングと下部ハウジングは上下対称に形成されて、該固定フレームを組み付けて構成し、
また、上部ハウジングと下部ハウジングの長手方向の両端縁部には、それぞれ長い側辺係合部を形成し、該固定フレームの該側辺係合部に対応する位置には、それぞれ長い係合溝を形成して側辺係合部を係止させ、
該上部ハウジングと下部ハウジングの折り返し部に隣り合う外側の端縁部には傾斜端縁部を形成し、該固定フレームと、上部ハウジング、下部ハウジングとを連結した後、該傾斜端縁部に対応する位置に上下の押し圧面を形成し、該上部ハウジング、下部ハウジングの傾斜端縁部を押し圧して好ましい密接度が得られるように構成することを特徴とする電子カード。
【請求項２】
前記係合溝は、固定フレームの長手方向の両端縁部に上下のリブを形成し、該上下のリブの間に間隔を置いて形成することを特徴とする請求項１に記載の電子カード。
【請求項３】
前記係合溝は、該固定フレームの両端縁部に凹状の溝を形成して構成することを特徴とする請求項１に記載の電子カード。
【請求項４】
前記電子カードの端子座に対向する一端には、該固定フレームの後端に接続する下部ハウジングと分離式の上部ハウジングとを係合させて構成する延伸ハウジングを設けることを特徴とする請求項１に記載の電子カード。
【請求項５】
前記上部ハウジングと下部ハウジングの前端部には、該端子座の方向に向かって折り返した状態で、かつ微小な角度で傾斜する折り返し端縁部をそれぞれ形成し、該端子座の上下面には、該折り返し端縁部を嵌合して位置決めする傾斜嵌合溝を形成することを特徴とする請求項１に記載の電子カード。
【請求項６】
前記固定フレームの前端部分には、端子座を挿入して嵌合させる嵌合溝を形成することを特徴とする請求項１に記載の電子カード。
【請求項７】
前記上部ハウジングと下部ハウジングの前端両側には、上下対称の折り返し部を形成し、該固定ハウジングの前端両側には、それぞれ内部当止溝を形成し、該上部ハウジングと下部ハウジングの前端の両側の折り返し部を係合させることを特徴とする請求項１に記載の電子カード。
【考案の詳細な説明】
【技術分野】
【０００１】
本考案は、電子カードに関するものであり、さらに詳しくは、組立て、分解が容易で、かつ部材の接合の密接度が高い電子カードに関するものである。
【背景技術】
【０００２】
現代に至り、社会的観念はますます開放的になってきた。過去における保守的な観念は科学技術の急速な発達にともない、コンピュータとその周辺設備に関する業界においても解放されてきており、コンピュータとコンピュータの周辺設備は、従来の内蔵式から外部接続式の構造の装置に向かっている。そのうち、最も普及しているものにグラフィック・インタフェースカード、サウンド・インタフェースカード、インタフェースカード、メモリカード、ネットワークカードなどが挙げられる。グラフィック・インタフェースカード、サウンド・インタフェースカード、インタフェースカードは、マザーボードに挿入するか、またはチップ形式でマザーボードに内蔵される。メモリカードとインターネットカードは使用者の携帯に供するか、またはノートブックタイプのコンピュータに用いられ、ハードディスク、メモリまたはネットワーク伝送チップを内蔵している場合を除き、使用者に対して随時外部接続、または外部挿入メモリカカードまたはネットワークカードの機能を提供することができる。
【０００３】
一般のメモリカードまたはネットワーク伝送カードは上述する機能を具えるが、市場においては高価であり、その原因は金型製造にある。１枚の電子カードに包含される部材は、往々して数種類にもなる。また市販される電子カードのそれぞれの部材はいずれも上下、左右対称の構造になっていないため、それぞれの部材に対して金型を製造しなければならず、これら部材を組み合わせることによって、必要とする製造コストが極めて高価になる。したがって、このように製造された製品の販売価格もコスト高をそのまま反映するものである。
【０００４】
また、製造において部材を分類して組み立てなければならないため、組立作業が不便になり、便利さと製造速度が低下し、生産能力または生産量に影響を与える。
【０００５】
さらには、全体的な構造の接合における密接度について、従来の電子カードは考慮していない。このため、従来の電子カードを長く使うと、衝撃を受けたり、外部からの力を受けたりして影響を受け、ハウジングが反り返るという欠点を有する。かかる状況から、上述する従来の電子カードの欠点を改善する技術の開発が、業界で望まれている。
【考案の開示】
【考案が解決しようとする課題】
【０００６】
本考案は、生産コストを節減するとともに、組み立て、分解が容易で、かつ部材の接合の密接度が高い電子カードを提供することを課題とする。
【課題を解決するための手段】
【０００７】
以下、本考案について具体的に説明する。
請求項１に記載する電子カードは、矩形の上部ハウジングと、下部ハウジングと、固定フレームと、端子座とによってなる電子カードであって、
該電子カードの内部には、デジタルデータまたはネットワーク伝送インタフェースを保存する回路ボードなどを収納する収納空間を形成し、
該上部ハウジングと下部ハウジングは上下対称に形成されて、該固定フレームを組み付けて構成し、
また、上部ハウジングと下部ハウジングの長手方向の両端縁部には、それぞれ長い側辺係合部を形成し、該固定フレームの該側辺係合部に対応する位置には、それぞれ長い係合溝を形成して側辺係合部を係止させ、
該上部ハウジングと下部ハウジングの折り返し部に隣り合う外側の端縁部には傾斜端縁部を形成し、該固定フレームと、上部ハウジング、下部ハウジングとを連結した後、該傾斜端縁部に対応する位置に上下の押し圧面を形成し、該上部ハウジング、下部ハウジングの傾斜端縁部を押し圧して好ましい密接度が得られるように構成されたものである。
【０００８】
請求項２に記載する電子カードは、請求項１における係合溝が、固定フレームの長手方向の両端縁部に上下のリブを形成し、該上下のリブの間に間隔を置いて形成する。
【０００９】
請求項３に記載する電子カードは、請求項１における係合溝が、該固定フレームの両端縁部に凹状の溝を形成して構成する。
【００１０】
請求項４に記載する電子カードは、請求項１における電子カードの端子座に対向する一端に、該固定フレームの後端に接続する下部ハウジングと分離式の上部ハウジングを係合させて構成する延伸ハウジングを設ける。
【００１１】
請求項５に記載する電子カードは、請求項１における上部ハウジングと下部ハウジングの前端部に該端子座の方向に向かって折り返した状態で、かつ微小な角度で傾斜する折り返し端縁部をそれぞれ形成し、該端子座の上下面には、該折り返し端縁部を嵌合して位置決めする傾斜嵌合溝を形成する。
【００１２】
請求項６に記載する電子カードは、請求項１における固定フレームの前端部分に、端子座を挿入して嵌合させる嵌合溝を形成する。
【００１３】
請求項７に記載する電子カードは、請求項１における上部ハウジングと下部ハウジングの前端両側に上下対称の折り返し部を形成し、該固定ハウジングの前端両側にはそれぞれ内部当止溝を形成し、該上部ハウジングと下部ハウジングの前端の両側の折り返し部を係合させる。
【考案の効果】
【００１４】
本考案の電子カードに係る考案は、製造コストを節減し、生産性を高めるという利点がある。
また、本考案の電子カードは、部材の接合の密接度が高く、外部からの力に強く、使用寿命を長くするという利点がある。
【考案を実施するための最良の形態】
【００１５】
電子カード（１）は、矩形の上部ハウジング（１０）と、下部ハウジング（１１）と、固定フレーム（２０）と、端子座（３０）などの部材によってなる。
【００１６】
電子カード（１）の内部には収納空間を形成し、該収納空間にはデジタルデータまたはネットワーク伝送インタフェースを保存する回路ボード（４０）を収納する。さらに、電子カード（１）の端子座（３０）に対向する一端には延伸ハウジング（５０）を延伸させて設ける。該延伸ハウジング（５０）は、電子カード（１）をネットワーク伝送に応用する場合、点線回路を設けるため収納空間とするか、または記憶装置に応用する場合の延長回路ボードの収納空間とする。以上の構成による電子カード（１）の態様は、図１に開示するとおりである。
【００１７】
図２、３に開示するように、本考案による電子カードは、上部ハウジング（１０）と下部ハウジング（１１）の部分には端子座（３０）の方向に向かって折り返した状態で、かつ微小な角度で傾斜する折り返し端縁部（１０１）、（１１１）をそれぞれ形成する。また、端子座（３０）の上下面には、該折り返し端縁部（１０１）、（１１１）を嵌合して位置決めする傾斜嵌合溝（３１）を形成する。
【００１８】
固定フレーム（２０）の前端部分には端子座（３０）を挿入して嵌合させる嵌合溝（２１）を形成するとともに、その内側に内部当止溝（２２）を形成し、上部ハウジング（１０）と下部ハウジング（１１）の前端の両側の折り返し部（１０２）、（１１２）を係合させる。
【００１９】
上部ハウジング（１０）、下部ハウジング（１１）の端縁部と端子座（３０）の接合は、主に微小な傾斜角度を有する折り返し端縁部（１０１）、（１１１）が端子座（３０）の傾斜嵌合溝（３１）に密接に嵌合することによって達成される。このため、長期に使用しても外部からの力を受けて破損を受け、反り返り、脱落することがない。
【００２０】
また、上部ハウジング（１０）と下部ハウジング（１１）の長手方向の両端縁部には、それぞれ長い側辺係合部（１０３）、（１１３）を形成する。その断面は直角に湾曲した形状を呈し、固定フレーム（２０）の該側辺係合部（１０３）、（１１３）に対応する位置には、それぞれ長い係合溝（２３）を形成し、側辺係合部（１０３）、（１１３）を拘止させる。上部ハウジング（１０）と下部ハウジング（１１）の折り返し部（１０２）、（１１２）に隣り合う外側の端縁部には折り返し端縁部（１０１）、（１１１）と同様の傾斜端縁部（１０４）、（１１４）を形成し、該固定フレーム（２０）と、上部ハウジング（１０）、下部ハウジング（１１）とを連結した後、傾斜端縁部（１０４）、（１１４）に対応する位置に上下の押し圧面（２４）を形成し、上部ハウジング（１０）、下部ハウジング（１１）の傾斜端縁部（１０４）、（１１４）を押し圧して結合させるために供する。よって、好ましい密接度を達成することができ、長期に使用しても外部からの力を受けて破損し、反り返り、使用者を傷つけるといった欠点を改善することができる。
【００２１】
電子カード（１）の端子座（３０）に対向する一端には延伸ハウジング（５０）を設ける。該延伸ハウジング（５０）は、固定フレーム（２０）後端の下部ハウジング（５１）と分離式の上部ハウジング（５２）とを係合させて構成し、延長式の回路ボード（４０）、またはネットワーク伝送用のアンテナ回路構造を収納するために供する。
【００２２】
図３、４に開示するように、本考案による電子カード（１）は、上部ハウジング（１０）、下部ハウジング（１１）、及び固定フレーム（２０）とを連結させて構成する、上部ハウジング（１０）、下部ハウジング（１１）の構造は、対称になるように構成し固定ハウジング（２０）に組み付ける。上部ハウジング（１０）、下部ハウジング（１１）の長手方向の両端縁部には、それぞれ側辺係合部（１０３）、（１１３）を形成し、固定フレーム（２０）の該側辺係合部（１０３）、（１１３）に対応する位置には、係合溝（２３）を形成する。該係合溝（２３）は固定不フレーム（２０）の長手方向の両端縁部に上下のリブ（２３１）を形成し、上下のリブ（２３１）の間に間隔を置いて形成するか、または固定フレーム（２０）の両端縁部に凹状の係合溝（２３）を形成し、側辺係合部（１０３）、（１１３）の係合、位置決めに供する。上部ハウジング（１０）、下部ハウジング（１１）の折り返し部（１０２）、（１１２）に隣り合う外側の端縁部には折り返し端縁部（１０１）、（１１１）と同様の傾斜端縁部（１０４）、（１１４）を形成し、傾斜端縁部（１０４）、（１１４）に対応する位置に上下の押し圧面（２４）を形成して好ましい密接度の接合を達成する。
【００２３】
本考案によれば、上部ハウジング（１０）、下部ハウジング（１１）の構造は、１セットの金型によって改正させることができ、かつ上部ハウジング（１０）と下部ハウジング（１１）、及び固定フレーム（２０）の結合の密接度を高めることができる。また、保守を行う場合、上部ハウジング（１０）か、または下部ハウジング（１１）のみを取り外して回路ボード（４０）の片面について保守を行えばよく、完全に分解する必要がない。
【００２４】
以上は本考案の好ましい実施例であって、本考案の実施の範囲を限定するものではない。よって、当業者のなし得る修正または変更であって、本考案の技術思想の下においてなされ、本考案に対して均等の効果を有するものは、いずれも本考案の実用新案登録請求の範囲に属するものである。
【図面の簡単な説明】
【００２５】
【図１】本考案による電子カードの斜視図である。
【図２】図１に開示する電子カードの分解図である。
【図３】図１に開示する電子カードの他の分解図である。
【図４】図１に開示する電子カードの局部拡大図である。
【符号の説明】
【００２６】
１        電子カード
１０      上部ハウジング
１０１    折り返し端縁部
１０２    折り返し部
１０３    側辺係合部
１０４    傾斜端縁部
１１      下部ハウジング
１１１    折り返し端縁部
１１２    折り返し部
１１３    側辺係合部
１１４    傾斜端縁部
２０      固定フレーム
２１      嵌合溝
２２      内部当止溝
２３      係合溝
２３１    リブ
２４      押し圧面
３０      端子座
３１      傾斜嵌合溝
４０      回路ボード
５０      延伸ハウジング
５１      下部ハウジング
５２      上部ハウジング
【図１】
0003105858.tif 000003
【図２】
0003105858.tif 000004
【図３】
0003105858.tif 000005
【図４】
0003105858.tif 000006